(57)【要約】【課題】位置決め精度を向上すること。【解決手段】接続部材１１は、板状の基材１３と、前記基材１３に設けた複数の導電部１５と、前記基材１３に設けた位置決めキー部材１７とを有し、前記位置決めキー部材１７は、前記導電部１５に係合して位置決めする係合部１７ｂを有し、さらに前記位置決めキー部材１７と、少なくとも前記導電部１５及び前記基材１３のいずれか一方とを固着した固着手段２１を有している。さらに、前記相手接続部品３１の前記位置決めキー部材１７が挿入されるガイド部３８には、前記位置決めキー部材１７と弾性接触する弾性部材４５を設けた。【選択図】      図１
2004213934.tif 000002
【特許請求の範囲】
【請求項１】
接続相手部品に挿入され前記接続相手部品と接続する接続部品において、板状の基材と、前記基材の一端側の一面に設けた複数の導電部と、前記相手接続部品に所定の姿勢で挿入し位置決めするよう前記一面に設けた少なくとも一つの位置決めキー部材とを有し、前記位置決めキー部材は、前記導電部に係合して位置決めする係合部を有し、さらに前記位置決めキー部材と少なくとも前記導電部及び前記基材のいずれか一方とを固着した固着手段を有していることを特徴とする接続部品。
【請求項２】
請求項１記載の接続部品において、前記固着手段が接着剤であることを特徴とする接続部品。
【請求項３】
請求項１記載の接続部品において、前記固着手段は、前記導電部と前記位置決めキー部材とを接続した半田部材であることを特徴とする接続部品。
【請求項４】
接続部品と、該接続部品を挿入して接続する相手接続部品とを含むコネクタ装置において、前記接続部材は、板状の基材と、前記基材の一端側の一面に設けた複数の導電部と、前記相手接続部品に所定の姿勢で挿入し位置決めするよう前記一面に設けた少なくとも一つの位置決めキー部材とを有し、前記位置決めキー部材は、前記導電部に係合して位置決めする係合部を有し、さらに前記位置決めキー部材と少なくとも前記導電部及び前記基材のいずれか一方とを固着した固着手段を有し、前記相手接続部品には、前記位置決めキー部材が挿入されるガイド部が形成されており、該ガイド部には、前記位置決めキー部材と弾性接触する弾性部材が収容されていることを特徴とするコネクタ装置。
【請求項５】
請求項４記載のコネクタ装置において、前記固着手段が接着剤であることを特徴とするコネクタ装置。
【請求項６】
請求項４記載のコネクタ装置において、前記固着手段は、前記導電部と前記位置決めキー部材とを接続した半田部材であることを特徴とするコネクタ装置。
【発明の詳細な説明】
【０００１】
【発明の属する技術分野】
本発明は、接続相手部品に挿入され前記接続相手部品と接続する接続部品、及び接続部品と相手接続部品とからなるコネクタ装置に属する。
【０００２】
【従来の技術】
先行技術におけるコネクタ装置は、接続部品１１１と、この接続部品１１１を接続する相手接続部品１３１とを有している。接続部品１１１は、相手接続部品１３１に所定の姿勢で挿入し位置決めするように、相手接続部品１３１に挿入されて接続するものである。
【０００３】
接続部品１１１は、板状の基材１１３と、基材１１３の一端側の一面に設けられている複数の導電部１１５とを有している。基材１１３の一面には、配線パターン（図示せず）が設けられており、配線パターンと導電部１１５が接続されている。
【０００４】
一方、相手接続部品１３１は、略長箱形状の相手インシュレータ１３３と、相手インシュレータ１３３に保持されている相手コンタクト１３５とを有している。導電部１１５及び基材１１３の一側部分は嵌合部として、相手インシュレータ１３３の前面１３３ａに対向させ挿入する。
【０００５】
相手インシュレータ１３３の前面に１３３ａは、接続部品１１１の導電部１１５が挿入される相手嵌合部としての大きな溝部１３３ｂを有している。溝部１３３ｂには、相手コンタクト１３５の相手接触部１３５ａが位置している。相手接触部１３５ａは、接続部品１１１の導電部１１５が挿入されたときに導電部１１５に接触する。
【０００６】
なお、コネクタ装置としては、小型基板を挿入時に自動的に位置決めした後に回動させて接続を得るようにした小型基板用コネクタがある（特許文献１を参照）。
【０００７】
【特許文献１】
特開２００２-９３４９７号公報（第３頁、図１）
【０００８】
【発明が解決しようとする課題】
しかしながら、接続部品１１１において機械加工して形成される外形寸法、印刷技術により形成される導電部１１５の位置関係は工程が全く異なるため、両者の位置関係の寸法公差Ｓ１，Ｓ２を絞ることができず、外形寸法を外形基準線Ｓとして接続部品１１１の狭ピッチ化が進んだ結果、さらに、接続部品１１１と相手接続部品１３１との製造も厳しい寸法公差が要求され、接続部品１１１の導電部１１５と相手接続部品１３１の相手接触部１３５ａの位置合わせには限界がある。
【０００９】
また、狭いピッチ化が進むほど導電部１１５や配線と外周形状との寸法公差が厳しくなり接続部品１１１の加工が困難となるという問題がある。
【００１０】
それ故に本発明の課題は、位置決め精度を向上することができ、経済性に優れた接続部品、コネクタ装置を提供することにある。
【００１１】
また、本発明の他の課題は、接続部品の外周形状に依存することなく、位置決め精度を向上することができる接続部品、及びコネクタ装置を提供することにある。
【００１２】
さらに、本発明の他の課題は、挿入時のガタツキをなくし、位置決めキー部材による位置決め機能を持たせることができる接続部品、及びコネクタ装置を提供することにある。
【００１３】
【課題を解決するための手段】
本発明によれば、接続相手部品に挿入され前記接続相手部品と接続する接続部品において、板状の基材と、前記基材の一端側の一面に設けた複数の導電部と、前記相手接続部品に所定の姿勢で挿入し位置決めするよう前記一面に設けた少なくとも一つの位置決めキー部材とを有し、前記位置決めキー部材は、前記導電部に係合して位置決めする係合部を有し、さらに前記位置決めキー部材と少なくとも前記導電部及び前記基材のいずれか一方とを固着した固着手段を有していることを特徴とする接続部品が得られる。
【００１４】
また、本発明によれば、接続部品と、該接続部品を挿入して接続する相手接続部品とを含むコネクタ装置において、前記接続部材は、板状の基材と、前記基材の一端側の一面に設けた複数の導電部と、前記相手接続部品に所定の姿勢で挿入し位置決めするよう前記一面に設けた少なくとも一つの位置決めキー部材とを有し、前記位置決めキー部材は、前記導電部に係合して位置決めする係合部を有し、さらに前記位置決めキー部材と少なくとも前記導電部及び前記基材のいずれか一方とを固着した固着手段を有し、前記相手接続部品には、前記位置決めキー部材が挿入されるガイド部が形成されており、該ガイド部には、前記位置決めキー部材と弾性接触する弾性部材が収容されていることを特徴とするコネクタ装置が得られる。
【００１５】
【発明の実施の形態】
以下、本発明に係る接続部品、及びコネクタ装置の第１実施の形態例を説明する。図１は、コネクタ装置の一実施の形態例を示している。
【００１６】
図１を参照して、コネクタ装置は、接続部品１１と、この接続部品１１を接続する相手接続部品３１とを有している。接続部品１１は、相手接続部品３１に所定の姿勢で挿入して位置決めをするように、相手接続部品３１に挿入されて接続するものである。
【００１７】
接続部品１１は、板状の基材１３と、基材１３の一端側の一面に設けられている複数の導電部１５と、基材１３の一面に設けられている位置決めキー部材１７とを有している。
【００１８】
導電部１５は、一般に、導電性の金属箔を設けた部分であり、導電パッドとも呼ばれており、導電部１５が基材１３の一面上に厚みを持って突出している。基材１３は、プリント配線基板のような回路基板、もしくはＦＦＣ，ＦＰＣのようなフレキシブル基板、カードエッジ基板などであり、基材１３の一面に配線パターン（図示せず）が設けられており、配線パターンと導電部１５が接続されている。
【００１９】
位置決めキー部材１７は、図２に反転した状態で示すように、導電部１５に対向する底面１７ａに係合部１７ｂが形成されている。係合部１７ｂは、一つの導電部１５を覆うようにして導電部１５に係合して位置決めする部分である。
【００２０】
なお、この実施の形態例における係合部１７ｂは、底面１７ａと、底面１７ａから凹ませて形成されている凹部もしくは溝部とによって導電部１５に係合するように形成した部分である。なお、位置決めキー部材１７は、導電部１５全体を覆うような大きさの形状としてもよい。
【００２１】
位置決めキー部材１７を基材１３の一面に実装する際は、図３及び図４に示すように、位置決めキー部材１７の実装位置に、導電部１５のパターンを画像的に認識して基準とすることも可能であるが、位置決めキー部材１７の下面に導電部１５の厚み寸法を利用して、導電部１５と係合するように機械的に位置決めを行っている。
【００２２】
位置決めキー部材１７は、位置決めキー部材１７を導電部１５に係合した後に、基材１３の一面に固着手段としての接着剤（図示せず）を用いて固着されている。
【００２３】
また、位置決めキー部材１７は、導電部１５に固着手段としての接着剤を用いて固着してもよい。また、位置決めキー部材１７は、基材１３及び導電部１５に固着手段としての接着剤を用いて固着してもよい。
【００２４】
図５は、位置決めキー部材１７を固着手段として半田部材２１により導電部１５と固着している例を示している。この場合、位置決めキー部材１７を導電部１５に係合した後に、位置決めキー部材１７は、隣接する導電部１５と半田部材２１によって固着される。
【００２５】
一方、相手接続部品３１は、図１に示したように、略長箱形状の相手インシュレータ３３と、相手インシュレータ３３に保持されている相手コンタクト３５とを有いている。導電部１５、位置決めキー部材１７及び基材１３の一側部分は、嵌合部として相手インシュレータ３３の前面３３ａに対向させて挿入される。相手インシュレータ３３の前面３３ａには、接続部品１１の基材１３の一側部分、導電部１５及び位置決めキー部材１７が挿入される相手嵌合部としての大きな溝部３３ｂを有している。溝部３３ｂには、相手コンタクト３５の相手接触部３５ａが位置している。相手接触部３５ａは、接続部品１１の導電部１５及び位置決めキー部材１７が挿入されたときに導電部１５にバネ性をもって接触する。
【００２６】
相手インシュレータ３３の壁部３３ｃの前面３３ａから後方には、位置決めキー部材１７が挿入されて受容される逆凹溝形状のガイド部３８が形成されている。ガイド部３８は、位置決めキー部材１７に対して雌側となる部分である。接続部品１１の位置決めキー部材１7は、ガイド部３８に挿入されることによって位置決めが正確に行なわれる。
【００２７】
また、接続部品１１がガイド部３８から外れた位置で溝部３３ｂに挿入されたときには、位置決めキー部材１７の先端が相手インシュレータ３３の前面３３ａに突き当たり、それ以上の挿入操作が阻止される。
【００２８】
図６は、コネクタ装置の第２実施の形態例を示している。なお、図１において説明した接続部品１１及び相手接続部品３１と同じ部分には、同じ符号を附して説明を省略する。
【００２９】
なお、図６に示した接続部品１１では、位置決めキー部材１７が一つの導電部１５全体を覆うような形状に形成されている例を示している。
【００３０】
図６を参照して、相手接続部品３１の相手インシュレータの外壁を構成している壁壁のうちの上側の壁部３３ｃの前面３３ａから後方には、位置決めキー部材１７が挿入される逆凹溝形状のガイド部４１が形成されている。ガイド部４１には、位置決めキー部材１７と弾性接触する弾性部材４５が嵌め込まれている。ガイド部４１には、弾性部材４５の挿入をガイドするための一対のガイド枠部４１ａが対向するように形成されている。
【００３１】
弾性部材４５は、一対の弾性部４５ａと、弾性部４５ａの一端を連結している枠部４５ｂとを有している。一対の弾性部４５ａは互いに向き合っており、位置決めキー部材１７が挿入されるときに位置決めキー部材１７が一対の弾性部４５ａ間に入り込むことによってガタツキをなくす役目を果たす。
【００３２】
弾性部材４５は、金属板材を曲げ加工することによって形成したり、樹脂材を成形することによって作ることができ、挿入時の位置決めキー部材１７とガタをなくし、位置決めキー部材１７による位置決め機能をもっている。
【００３３】
図７は、位置決めキー部材１７の位置を変えたり、複数の位置決めキー部材１７の組み合わせによって、相手接続部品３１の識別を行うものである。なお、図１に示した相手接続部品３１では、一つのガイド部３８を有するものであるのに対して、図７に示した相手接続部品３１では、二つのガイド部３８，３９を有するものである。
【００３４】
ここで、図７に示した二種類の接続部品１１，１１′の内、接続部品１１には、各二つの位置決めキー部材１７が設けられている。接続部品１１′には、各二つの位置決めキー部材１７′が設けられている。なお、接続部品１１′に設けられている導電部１５′は、接続部品１１の基材１３に設けられている導電部１５と同じ配列で基材１３′に設けられている。
【００３５】
図７によって明らかなように、接続部品１１は、相手接続部品３１の二つのガイド部３８，３９に位置が合うように対応して二つの導電部１５のそれぞれに設けられてることから、所定の姿勢で溝部３３ｂへ挿入することによって相手接続部品３１のガイド部３８，３９に位置決めキー部材１７を挿入できる。
【００３６】
また、接続部品１１′は、相手接続部品３１の二つのガイド部３８，３９の位置に対応していないことから、所定の姿勢で溝部３３ｂへ挿入しても相手接続部品３１のガイド部３８，３９へ位置決めキー部材１７を挿入できない。このように、位置決めキー部材１７の位置を規定しておけば、位置決めキー部材１７の位置の有無で、相手接続部品３１の種類の識別が可能となる。
【００３７】
【発明の効果】
以上説明したように、本発明に係る接続部品、及びコネクタ装置によれば、接続部品の位置決めキー部材の機能が外周形状によらず、個々の接続部品の表面上の導電部や配線を基準に位置決めキー部材が固定されるため、接続部品の外周形状の寸法公差を極端に絞る必要がなくなることから、位置決め精度を向上することができ、経済性に優れた接続部品が得られる。
【００３８】
また、狭いピッチの標準規格の場合は、接続部材の外形の寸法公差を理論的に確実に接触するよう企画化するが、実際は、市場で粗悪な寸法の接続部品が出回って障害を起こしているが、本発明に係る接続部品、及びコネクタ装置では接続部品の外周形状に依存しないため、不具合になることが少なくなる。
【００３９】
さらに、本発明に係る接続部品、及びコネクタ装置は、ガイド部には、位置決めキー部材と弾性接触する弾性部材が嵌め込まれる。弾性部材は、板状接続部材の位置決めキー部材が挿入されるときにガタツキをなくす役目を果たし、挿入時の位置決めキー部材とガタをなくし、位置決めキー部材による位置決め機能を持たせることができる。
【図面の簡単な説明】
【図１】本発明に係る接続部品、接続部品及び相手接続部品からなるコネクタ装置を示す斜視図である。
【図２】図１に示した位置決めキー部材を反転した状態を拡大して示した斜視図である。
【図３】図１に示した位置決めキー部材を基材に設ける前の状態を要部で拡大して示した斜視図である。
【図４】図３に示した位置決めキー部材を基材に設けた後の状態を示した斜視図である。
【図５】図１に示した位置決めキー部材を導電部に半田接続して固着した例を要部で拡大して示した斜視図である。
【図６】本発明に係る接続部品、接続部品及び相手接続部品からなるコネクタ装置の第２実施の形態例であり、接続部品及び相手接続部品の要部を拡大して示した斜視図である。
【図７】図１に示した接続部品、接続部品に設けた複数の位置決めキー部材の組み合わせによって相手接続部品の識別を行う例を示した斜視図である。
【図８】先行技術における接続部品、及びコネクタ装置を示す斜視図である。
【符号の説明】
１１，１１′，１１１    接続部品
１３，１３′，１１３    基材
１５，１５′，１１５    導電部
１７，１７′    位置決めキー部材
１７ｂ    係合部
２１    半田部材
３１，１３１    相手接続部品
３３    相手インシュレータ
３３ａ    前面
３３ｂ    溝部
３５，１３５    相手コンタクト
３５ａ，１３５ａ    相手接触部
３８，３９    ガイド部
４１    ガイド部
４５    弾性部材
４５ａ    弾性部
【図１】
2004213934.tif 000003
【図２】
2004213934.tif 000004
【図３】
2004213934.tif 000005
【図４】
2004213934.tif 000006
【図５】
2004213934.tif 000007
【図６】
2004213934.tif 000008
【図７】
2004213934.tif 000009
【図８】
2004213934.tif 000010